(57)【要約】      （修正有）【課題】磁性異物を媒体からほぼ完全に磁着除去する体積変化型バーマグネットを提供する。【解決手段】涙型のバーマグネット１は下方側に略半丸型のベース部１ａを形成し上方側に向かって次第に体積を減少し頂部を尖頭型にしたものからなる。この形状によりベース部１ａの磁力が最も高く中間部１ｂ及び頂部１ｃ側に向かって磁力が低下する。この磁力の変化と涙型の形状により磁性異物のほぼ完全な磁着除去と粉状媒体の円滑な送り出しができる。【選択図】図１
0003142034.tif 000002
【実用新案登録請求の範囲】
【請求項１】
落下供給される磁性異物を含む媒体から前記磁性異物を磁着除去して次工程側に送るための異物除去装置内に配置されるバーマグネットであって、該バーマグネットは、下方側に略半丸型のベース部を有すると共に上方側に向かって前記ベース部よりも体積が次第に減少する形状のものからなることを特徴とする体積変化型バーマグネット。
【請求項２】
前記バーマグネットが涙型又はしずく型のものからなることを特徴とする請求項１に記載の体積変化型バーマグネット。
【考案の詳細な説明】
【技術分野】
【０００１】
本考案は、落下供給される磁性異物を含む媒体から前記磁性異物を磁着除去して次工程側に送るための異物除去装置内に配置されるバーマグネットに係り、特に下方側に形成される略半丸型のベース部より上方側に向かって体積が減少する形状のものからなり、磁着された前記磁性異物の脱落が生じない体積変化型バーマグネットに関する。
【背景技術】
【０００２】
落下供給される媒体には磁性異物を含むものが多く、この状態で次工程側に媒体が送られることを防止するために異物除去装置が従来より使用されている。この異物除去装置は通常バーマグネットを配置するものが多く、その公知技術として「特許文献１」が挙げられる。
【特許文献１】特開２００３−２１１０２２号（図１）
【考案の開示】
【考案が解決しようとする課題】
【０００３】
「特許文献１」の「特開２００３−２１１０２２号」の「磁性体異物除去方法及び装置」はチャンバ（１）内に多数個のバーマグネット（８）を配置したものであり、このバーマグネット（８）は丸型の断面形状を有するものからなる。
【０００４】
図４は丸型の断面形状を有するバーマグネット１Ａにおける磁性異物の除去状態を示すものである。磁性異物２を含む粉状媒体３はバーマグネット１Ａの上方から落下供給されるが磁性異物２は、まず、バーマグネット１Ａの頂部の部分に磁着する。一方、磁着されない磁性異物２はバーマグネット１Ａの外周に沿って落下し、バーマグネット１Ａの外周に磁着される。しかしながら、磁性異物２は前記のようにバーマグネット１Ａの頂部に磁着しこの位置で堆積されるためバーマグネット１Ａの頂部の磁力が次第に低下し、磁性異物２は頂部に磁着されずに外周側に進むものが多い。しかしながら、このバーマグネット１Ａは丸型のためすべての磁性異物２が外周にすべて磁着されず下方に落下するものが生ずる。一方、粉状媒体３もバーマグネット１Ａが丸型のためバーマグネット１Ａの頂部に堆積するものが生じ、下方側に落下しないものが生ずる。
以上のように、丸型のバーマグネット１Ａでは磁性異物２の磁着除去が不完全となり、かつ粉状媒体もバーマグネット１Ａの頂部に堆積して円滑に下方側に送られない不具合が生ずる。
【０００５】
本考案は、以上の問題点（不具合）を解消すべく考案されたものであり、磁性異物の磁着除去が完全に行われ、粉状媒体の堆積も生じない体積変化型バーマグネットを提供することを目的とする。
【課題を解決するための手段】
【０００６】
本考案は、以上の目的を達成するために、請求項１の考案は、落下供給される磁性異物を含む媒体から前記磁性異物を磁着除去して次工程側に送るための異物除去装置内に配置されるバーマグネットであって、該バーマグネットは、下方側に略半丸型のベース部を有すると共に上方側に向かって前記ベース部よりも体積が次第に減少する形状のものからなることを特徴とする。
【０００７】
また、請求項２の考案は、前記バーマグネットが涙型又はしずく型のものからなることを特徴とする。
【考案の効果】
【０００８】
本考案の請求項１の体積変化型バーマグネットによれば、バーマグネットは上方側に向かって体積が減少する形状のものからなり、頂部の磁力はベース部より低くなるため、この頂部に磁性異物や媒体の堆積が生じない。頂部側に磁着しない磁性異物は上部側よりも磁力の高い部分に磁着され、残りのものも最も磁力の高いベース部に磁着される。この結果すべての磁性異物が本考案のバーマグネットの場合には磁着除去される。また、媒体も頂部に堆積することなく下方側に円滑に落下する。
【０００９】
また、本考案の請求項２の体積変化型バーマグネットによれば、バーマグネットが涙型又はしずく型の断面形状を有するものからなり、頂部は尖頭状のものからなり磁着力も低く下方側に向かって磁力が高くなる。このため、磁性異物は頂部に少量磁着し、大部分が下方側に送られて次第に磁着量が増し、結果的にほぼ完全に磁着除去される。また、媒体も涙型又はしずく型の外面に沿って円滑に落下して次工程側に送られることになる。
【考案を実施するための最良の形態】
【００１０】
以下、本考案の体積変化型バーマグネットの実施の形態を図面を参照して詳述する。
【実施例】
【００１１】
ここでは体積変化型バーマグネットとして涙型の断面形状を有するものを採用するが、勿論、本考案の体積変化型バーマグネットはこの形状に限定するものではない。
この涙型のバーマグネット１は図１に示すように下方側に略半丸型のベース部１ａを形成し、上方に向かって次第に体積を減少する中間部１ｂを形成し、上方側に向かって更に体積を減少し頂部１ｃで尖頭形状のものからなる。
なお、図１にはその構造を省略しているがこのバーマグネット１は永久磁石と極板とを交互に隣接して配置した細長のものからなり、この両者を安定結合するため貫通孔４を形成し、図略の連結シャフトを貫通孔４に通して全体を固定したものからなる。
【００１２】
図２は図１のＡ−Ａ線断面を示すものである。図４に示した丸型のバーマグネット１Ａの場合はその断面形状のすべての位置において同一の磁力を有するものからなるが、本実施例のバーマグネット１の場合は場所により磁力が異なる。即ち、ベース部１ａの磁力をＧ１とすると中間部１ｂの磁力Ｇ２はＧ１よりも低くなり、更に頂部１ｃ近傍の磁力Ｇ３は更に低くなる。即ち、Ｇ１＞Ｇ２＞Ｇ３となる。
例えば、Ｇ１を１００００ガウスとするとＧ２は８０００ガウス位となり、頂部１ｃの近傍のＧ３は６０００ガウス位となる。よって、磁性異物２の磁着量は下方に向かって強くなる。
また、磁性異物２も粉状媒体３もバーマグネット１が涙型のため頂部にほとんど堆積しないで涙型の形状に沿って下方に進むことになる。
【００１３】
図３は本実施例の涙型のバーマグネット１による磁性異物２の磁着除去の状態と粉状媒体３の落下形態を模式的に示したものである。上方側から落下して送られてきた磁性異物２及び粉状媒体３はまずバーマグネット１の頂部１ｃに当るが頂部１ｃが尖頭状のため、ここに磁着及び堆積しないで下方側に進む。バーマグネツト１は下方側に向かって磁力が高いため磁性異物２は下方側に向かって磁着量を増加し、ほぼすべての磁性異物２がバーマグネット１に磁着される。即ち、頂部１ｃ側で磁着しなかった磁性異物２は下方側に送られて順次磁着されて完全除去されることになる。
【００１４】
一方、粉状媒体３も尖頭状の頂部１ｃに堆積しないで涙型の形状に沿って円滑に下方側に送られて落下する。
以上により、磁性異物２をほぼ完全に除去した粉状媒体３が次工程側に円滑に送られることになる。
【００１５】
本考案は、以上のような効果を有するものであるが、その形状は前記の実施例に限定するものではなく、上方側に向かって磁力の低下する形態のものに適用される。また、同一技術的範疇のものも採用されることは勿論である。
【産業上の利用可能性】
【００１６】
本考案の体積変化型バーマグネットは、異物除去装置に適用されるものであるが、その装置の形態は任意のものでよく、その利用範囲は広い。
【図面の簡単な説明】
【００１７】
【図１】本考案の体積変化型バーマグネットの模式的斜視図。
【図２】図１のＡ−Ａ線断面図。
【図３】本考案の体積変化型バーマグネットによる磁性異物の磁着除去の状態を示す模式断面図。
【図４】従来の丸型のバーマグネットによる磁性異物の磁着除去の状態を示す模式断面図。
【符号の説明】
【００１８】
１    涙型のバーマグネット
１ａ  ベース部
１ｂ  中間部
１ｃ  頂部
２    磁性異物
３    粉状媒体
４    貫通孔
【図１】
0003142034.tif 000003
【図２】
0003142034.tif 000004
【図３】
0003142034.tif 000005
【図４】
0003142034.tif 000006